(57)【要約】【課題】筐体扉を開いた状態であっても表示装置の表示画面部を視認可能とし、メンテナンス作業の効率を高める。【解決手段】筐体本体１と、該筐体本体１に開閉可能に取り付けられた筐体扉２と、遊技機（例えばパチスロ遊技機）の前面側から表示画面部を視認可能となるように筐体扉２に配設された表示装置（液晶表示装置１００）とを備えるとともに、表示装置の表示画面部を表裏反転させる反転手段（上側ホルダ１０４および下側ホルダ１１２等）を備える。また、表示画面部の反転状態を検知する反転状態検知手段（例えば反転検知スイッチ）を備えることが好ましい。また、表示装置を上下方向に回動させて画面表示部を表裏反転させる場合には、表示装置の反転状態において、表示内容を上下反転させて表示することが好ましい。【選択図】          図１
2004357848.tif 000002
【特許請求の範囲】
【請求項１】
筐体本体と、該筐体本体に開閉可能に取り付けられた筐体扉と、遊技機の前面側から表示画面部を視認可能となるように前記筐体扉に配設された表示装置とを備えた遊技機において、
前記表示装置の前記表示画面部を表裏反転させる反転手段を備えてなることを特徴とする遊技機。
【請求項２】
前記表示画面部の反転状態を検知する反転状態検知手段を備えたことを特徴とする請求項１記載の遊技機。
【請求項３】
前記反転手段は、前記表示装置を上下方向に回動することにより前記表示画面部を反転させ、
前記表示装置は、前記反転状態検知手段により前記表示画面部が反転状態であると検知された場合に、表示内容を上下反転させて表示することを特徴とする請求項２記載の遊技機。
【発明の詳細な説明】
【０００１】
【発明の属する技術分野】
本発明は、筐体本体に対して筐体扉を開閉可能に取り付けるとともに、筐体扉に表示装置を配設した遊技機に関する。
【０００２】
【従来の技術】
従来、パチスロ遊技機等の遊技機は、筐体内に収容された種々の機構のメンテナンスを行うために、筐体本体の前面に開閉可能な筐体扉が取り付けられている。また、筐体扉には、遊技機の前面側から表示画面部を視認可能となるように表示装置が配設されており、この表示装置により遊技に関する種々の表示を行うようになっている（例えば、特許文献１参照）。
【０００３】
上述したように、筐体内に収容された種々の機構のメンテナンスを行うには筐体扉を開いて作業を行うが、表示装置の表示画面部に表示される画像等を確認しながら作業を行う必要が生じる場合がある。例えば、メンテナンスを行う際に、表示装置をメンテナンスモードに変更し、表示画面部に表示されるメニュー画面に従って作業を行うような場合である。
【０００４】
【特許文献１】
特開２００２−３０６６７８号公報
【０００５】
【発明が解決しようとする課題】
しかしながら、表示装置は、筐体扉に対して遊技機の前面側から表示画面部を視認可能となるように配設されており、メンテナンスを行うために筐体扉を開いた状態では、作業者が表示装置を容易に視認できるとは言い難かった。すなわち、筐体扉を開いた状態では、筐体扉の背面側が作業者に向けられており、表示装置の表示画面部を視認するためには、筐体扉の前面側に作業者の上体を回り込ませるか、あるいは筐体扉を閉じる必要があった。
【０００６】
このため、作業姿勢が不自然となり効率よく作業を行うことができない場合があった。また、作業内容によっては表示画面部の確認作業とメンテナンス作業を同時に行う必要があり、一人で作業を行うことができない場合もあった。
【０００７】
本発明は、上述した事情に鑑み提案されたもので、筐体扉を開いた状態であっても表示装置の表示画面部を視認可能とし、メンテナンス作業の効率を高めることが可能な遊技機を提供することを目的とする。
【０００８】
【課題を解決するための手段】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【０００９】
本発明に係る遊技機（例えばパチスロ遊技機）は、筐体本体（１）と、該筐体本体（１）に開閉可能に取り付けられた筐体扉（２）と、遊技機（パチスロ遊技機）の前面側から表示画面部を視認可能となるように前記筐体扉（２）に配設された表示装置（例えば、液晶表示装置１００，２００）とを備えた遊技機（パチスロ遊技機）において、
前記表示装置（液晶表示装置１００，２００）の前記表示画面部を表裏反転させる反転手段を備えてなることを特徴とするものである。
【００１０】
ここで、反転手段は、図１に示す第１の実施形態では、第１ボス部１０１ａ，１０１ｂ、第２ボス部１０２ａ，１０２ｂ、上側ホルダ１０４、取付部１０５、支持部１０６、支持孔１０７、係止部１０９ａ，１０９ｂ、係支凹部１１１ａ，１１０ａ，ネジ１１０ｂ，１１１ｂ、下側ホルダ１１２等により構成され、図２に示す第２の実施形態では、支持片２０１、回動軸２０２、ステー２０３、長孔２０４、ボス部２０５、ステー支持片２０６、支持突起２０７、保持部材２０８等により構成される。
【００１１】
このような構成からなる遊技機（パチスロ遊技機）は、筐体扉（２）を閉じた状態で、遊技機（パチスロ遊技機）の前面側から表示装置（液晶表示装置１００，２００）の表示画面部を視認することができるので、遊技者は表示装置（液晶表示装置１００，２００）の表示画面部に表示される演出表示を楽しんだり、表示内容に従って遊技を進行させたりすることができる。
【００１２】
また、メンテナンスを行うために筐体扉（２）を開いた際には、反転手段により表示装置（液晶表示装置１００，２００）の表示画面部を表裏反転させ、表示画面部を確認しながら筐体本体（１）の内部に設置された種々のスイッチ等を操作することができるので、メンテナンスの作業効率を高めることができる。
【００１３】
また、本発明に係る遊技機（パチスロ遊技機）は、前記構成に加えて、前記表示画面部の反転状態を検知する反転状態検知手段（例えば、反転検知センサ２０９）を備えたことを特徴とするものである。
【００１４】
このような構成からなる遊技機（パチスロ遊技機）は、反転状態検知手段（反転検知センサ２０９）により表示画面部の反転状態が検知されるので、例えばメンテナンス作業終了時に表示装置画面部の向きが元に戻されていない場合等に警告を発生することができ、さらにメンテナンスの作業効率を高めることができる。また、表示画面部が反転状態となったことを検知した場合に、自動的に表示装置（液晶表示装置２００）をメンテナンスモードに移行し、表示画面部にメンテナンスメニュー等を表示させることができるので、さらにメンテナンスの作業効率を高めることができる。
【００１５】
また、本発明に係る遊技機（パチスロ遊技機）は、前記構成に加えて、前記反転手段は、前記表示装置（液晶表示装置２００）を上下方向に回動することにより前記表示画面部を反転させ、
前記表示装置（液晶表示装置２００）は、前記反転状態検知手段（反転検知センサ２０９）により前記表示画面部が反転状態であると検知された場合に、表示内容を上下反転させて表示することを特徴とするものである。
【００１６】
なお、前記表示装置（液晶表示装置２００）の表示画面部における表示は、サブ制御基板（２２）により制御されるので、表示内容の上下反転もサブ制御基板（２２）の制御に基づいて行われる。
【００１７】
このような構成からなる遊技機（パチスロ遊技機）は、表示装置（液晶表示装置２００）を上下方向に回動することにより表示画面部を反転させると、表示内容が上下反転してしまうが、反転状態検知手段（反転検知センサ２０９）により表示装置（液晶表示装置２００）の反転状態が検知された場合には、表示内容を上下反転させて表示させるため、正常な表示内容となり、違和感なく作業を行うことができ、さらにメンテナンスの作業効率を高めることができる。
【００１８】
【発明の実施の形態】
以下、図面を参照して、本発明に係る遊技機の実施形態を説明する。
なお、以下の説明では、代表的な遊技機としてパチスロ遊技機を例にとって説明を行うが、本発明に係る遊技機はこれに限定されるものではない。
【００１９】
図４〜図６は、本発明の実施形態に係るパチスロ遊技機を示すもので、図４は第１の実施形態に係るパチスロ遊技機の筐体扉を開いた状態の斜視図、図５は第２の実施形態に係るパチスロ遊技機の筐体扉を開いた状態の斜視図、図６は筐体扉を閉じた状態のパチスロ遊技機（第１の実施形態および第２の実施形態に共通）の正面図である。
【００２０】
本発明の実施形態に係るパチスロ遊技機は、図４〜図６に示すように、筐体本体１の前面に筐体扉２を開閉可能に取り付けることにより遊技機筐体が構成されている。
【００２１】
筐体扉２の前面のほぼ中央より上部には、正面パネル４が配設されており、この正面パネル４には、筐体本体１内に配設したリール１２ａ，１２ｂ，１２ｃの表面が臨む３個の表示窓１１ａ，１１ｂ，１１ｃを横並びに配設し、表示窓１１ａ，１１ｂ，１１ｃの下方には、演出表示等を行う液晶表示装置２００を配設してある。
【００２２】
また、正面パネル４の上方に位置する筐体扉２の前面上部には、液晶表示装置１００が設けられている。なお、図１に示す例では、２つの液晶表示装置１００，２００を図示しているが、液晶表示装置１００は、後に詳述する第１の実施形態に係るパチスロ遊技機に用いる液晶表示装置であり、液晶表示装置２００は、後に詳述する第２の実施形態に係るパチスロ遊技機に用いる液晶表示装置であり、いずれか一方のみを設けてもよいし、双方とも設けてもよい。また、液晶表示装置１００を省略する場合には、液晶表示装置１００に代わって配当表パネルを配設することができる。
【００２３】
また、図示しないが、表示窓１１ａ，１１ｂ，１１ｃには、表示窓１１ａ，１１ｂ，１１ｃを横断するようにして合計５本の有効ライン表示が施されている。この有効ライン表示は、横３本の有効ライン表示、およびこれらと交差する斜め２本の有効ライン表示からなり、遊技に供された遊技メダル数によって有効となるライン数が変化する。
【００２４】
また、正面パネル４には、表示窓１１ａの左側に位置するようにして、遊技に供された遊技メダル数と有効ライン表示との対応関係を表示するための５つの有効ラインランプ１７…が設けられている。さらに、表示窓１１ｃの右側に位置するようにして、パチスロ遊技機における遊技情報を表示するための５個の表示ランプ１０…が設けられている。これらの表示ランプ１０…は、例えば、遊技メダルの投入許可、遊技開始許可、ボーナス遊技の内部当選、遊技禁止、および打ち止めの告知等、種々の表示に用いることができる。
【００２５】
正面パネル４の下方には、遊技に供する遊技メダルを投入するためのメダル投入口１３、クレジットされた範囲内で遊技に供する遊技メダルを投入するためのベットボタン１４，１５，１６、クレジットされた遊技メダルを払い出すための貯留メダル精算ボタン１８、リール１２ａ，１２ｂ，１２ｃの回転を一斉に開始させるためのスタートレバー１９、および各リール１２ａ，１２ｂ，１２ｃの回転を個別に停止させるための３個のストップボタン２０ａ，２０ｂ，２０ｃ等が設けられている。
【００２６】
なお、ベットボタン１４は遊技メダルを１枚投入するためのベットボタンであり、ベットボタン１５は遊技メダルを２枚投入するためのベットボタンであり、ベットボタン１６は遊技メダルを最大許容投入枚数（例えば３枚）投入するためのベットボタンである。
【００２７】
また、スタートレバー１９等の下方に位置する筐体扉２の前面下部には、装飾表示を行うための腰部パネル５が配設されている。さらに、腰部パネル５の下方には、遊技メダルを払い出すためのメダル払出口６が設けられているとともに、メダル払出口６に臨むようにして遊技メダルを貯留するためのメダル貯留皿７および一対のスピーカ９ａ，９ｂが設けられている。また、メダル貯留皿７の左側には灰皿８が設けられている。
【００２８】
また、正面パネル４の上部に位置する筐体扉２の前面には、上部ランプ３が設けられている。
【００２９】
また、図４，図５に示すように、筐体本体１の内部には、リール１２ａ，１２ｂ，１２ｃ、主制御基板２１、電源装置２３、ホッパ２４等が配設されており、筐体扉２の内側には、液晶表示装置１００、液晶表示装置２００、主制御基板２１の制御の下に液晶表示装置１００，２００の制御等を行うためのサブ制御基板２２が配設されている。
【００３０】
＜サブ制御基板＞
図７を参照して、液晶表示装置１００，２００等の制御を行うためのサブ制御基板２２について説明する。図７は、サブ制御基板２２の構成を示すブロック図である。
【００３１】
サブ制御基板２２は、図７に示すように、主制御基板２１とＩＮポート４０１を介して接続されたサブＣＰＵ４０２により制御が行われる回路基板で、制御プログラムを記憶したプログラムＲＯＭ４０３、一時記憶領域であるワークＲＡＭ４０４、およびＯＵＴポート４０５を備えている。また、液晶表示装置１００，２００における表示制御を行う部分として、画像制御ＣＰＵ４０６、画像制御プログラムＲＯＭ４０７、画像制御ワークＲＡＭ４０８、画像制御ＩＣ４０９、画像ＲＯＭ４１０、ビデオＲＡＭ４１１、およびＩＮポート４１２を備えており、サブＣＰＵ４０２の制御の下に液晶表示装置１００，２００における表示制御が行われる。
【００３２】
また、スピーカ９ａ，９ｂから発生する音声を制御するための部分として、音源ＩＣ４１３、およびパワーアンプ４１４を備えており、サブＣＰＵ４０２の制御の下に、スピーカ９ａ，９ｂから効果音等が発生される。
【００３３】
＜第１の実施形態＞
第１の実施形態に係る液晶表示装置１００は、表示画面部を左右方向に表裏反転させる反転手段を有している。
図１は、第１の実施形態に係る液晶表示装置１００の斜視図である。なお、図１は、液晶表示装置１００を筐体扉２２の背面側から見た状態を示している。
【００３４】
第１の実施形態に係る液晶表示装置１００は、図４、図６に示すように、筐体扉２２の上部に取り付けられている。この液晶表示装置１００は、図１に示すように、背面側から見た状態で、上下面の左側部の上下にそれぞれ第１ボス部１０１ａ，１０１ｂが突出して設けられているとともに、上下面の右側部の上下にそれぞれ第２ボス部１０２ａ，１０２ｂが突出して設けられている。
【００３５】
また、液晶表示装置１００の背面の左側にはソケット部（図示せず）が設けられており、このソケット部に電気信号を送受信するための配線ケーブル１０３が接続されている。
【００３６】
液晶表示装置１００は、上下一対のホルダ１０４，１１２により支持される。上側ホルダ１０４は、断面略Ｌ字状の部材で、筐体扉２の内面壁（図示せず）に取り付けるための取付部１０５と、取付部１０５から筐体扉２の背面側に向かって延出した支持部１０６とを備えている。
【００３７】
支持部１０６には、第１ボス部１０１ａ，１０１ｂを挿通するための左右方向に長い支持孔１０７が設けられている。また、支持部１０６の左右には、それぞれ取付部１０５から筐体扉２の背面側に向かって係止部１０９ａ，１０９ｂが延設されており、係止部１０９ａ，１０９ｂには、それぞれ第２ボス部１０２ａ，１０２ｂを係止するための係止凹部１１０ａ，１１０ｂが設けられている。
【００３８】
また、取付部１０５の左右には、それぞれネジ１１１ａ，１１１ｂを挿通するためのネジ孔１０８ａ，１０８ｂが設けられており、このネジ孔１０８ａ，１０８ｂにネジ１１１ａ，１１１ｂを挿通し、ネジ１１１ａ，１１１ｂの先端部を筐体扉２の内面壁にねじ込むことにより、筐体扉２に上側ホルダ１０４を止着することができる。
【００３９】
下側ホルダ１１２は、上側ホルダ１０４を上下反転させたもので、上側ホルダ１０４と同様に、取付部１０５、支持部１０６、支持孔１０７、係止部１０９ａ，１０９ｂ、係止凹部１１０ａ，１１０ｂ、ネジ孔１０８ａ，１０８ｂを備えている。なお、図１において、下側ホルダ１１２の取付部１０５を筐体扉２に止着するためのネジは、図示を省略している。
【００４０】
液晶表示装置１００は、上側ホルダ１０４および下側ホルダ１１２の支持孔１０７内に第１ボス部１０１ａ，１０１ｂを挿通することにより、上側ホルダ１０４および下側ホルダ１１２により上下から挟まれた状態で支持されている。通常の状態では、第１ボス部１０１ａ，１０１ｂが支持孔１０７の左端部に位置しており、第２ボス部１０２ａ，１０２ｂが上側ホルダ１０４および下側ホルダ１１２の右側に位置する係止凹部１１０ｂ内に係止されている。この状態では、液晶表示装置１００の表示画面部は、筐体扉２の前面側を向いていることになる。
【００４１】
メンテナンス作業のため筐体扉２を開いた際には、第１ボス部１０１ａ，１０１ｂを支点として液晶表示装置１００を筐体扉２の背面側（図１において手前側）に回転させ、上側ホルダ１０４および下側ホルダ１１２の右側に位置する係止凹部内１１０ｂから第２ボス部１０２ａ，１０２ｂを取り外す。
【００４２】
そして、第１ボス部１０１ａ，１０１ｂを支持孔１０７の右端部へ移動させるとともに、第１ボス部１０１ａ，１０１ｂを支点として液晶表示装置１００を筐体扉２の背面側（図１において手前側）に回転させて、上側ホルダ１０４および下側ホルダ１１２の左側に位置する係止凹部１１０ａ内に第２ボス部１０２ａ，１０２ｂを係止する。この状態では、液晶表示装置１００の表示画面部は、筐体扉２の背面側を向いていることになる。
【００４３】
液晶表示装置１００の表示画面部の向きを元に戻すには、上述した手順と逆の手順により、第１ボス部１０１ａ，１０１ｂを支持孔１０７の左端部に移動させるとともに、液晶表示装置１００を筐体扉２の前面側（図１において奥側）に回転させ、第２ボス部１０２ａ，１０２ｂを上側ホルダ１０４および下側ホルダ１１２の右側に位置する係止凹部１１０ｂ内に係止させればよい。
【００４４】
なお、液晶表示装置１００に接続される配線ケーブル１０３は、液晶表示装置１００を回転させることができる程度の長さとされていることが必要であるが、配線ケーブル１０３を繋ぎ代える等、他の代替手段がある場合には、配線ケーブル１０３の長さに特に制限はない。また、支持孔１０７の長さ、係止凹部１１０ａ，１１０ｂの位置等は、液晶表示装置１００の大きさ等に合わせて適宜調整される。
【００４５】
また、支持孔１０７を左右方向の長孔とせずに、第１ボス部１０１ａ，１０１ｂを１点で回転可能に支持するような形状（例えば円形）としてもよい。この場合には、液晶表示装置１００を反転させると、液晶表示装置１００の位置が大きく移動するが、筐体扉２の背面側に余裕がある場合には一向に差し支えない。
【００４６】
液晶表示装置１００は、先に説明したようにサブ制御基板２２の制御に基づいて、種々の表示が行われる。図８に基づいて、液晶表示装置１００の表示画面部に表示される表示内容の一例を説明する。図８は、液晶表示装置１００の表示画面部に表示される表示内容の一例を示す説明図であり、（ａ）は通常時（遊技時）における表示例、（ｂ）はメンテナンス作業時における表示例を示す。
【００４７】
液晶表示装置１００の表示画面部には、通常時（遊技時）において、図８（ａ）に示すように、演出表示、遊技のアシスタント表示、その他の案内表示等が行われる。図８（ａ）に示す例では、ボーナスに当選する可能性が生じた旨、および左側のリール１２ａにボーナス図柄を狙うとボーナスに当選する可能性が高くなることを案内している。
【００４８】
また、メンテナンス作業時には、図８（ｂ）に示すように、メンテナンス作業の内容が表示され、表示内容を示すアイコンにカーソルを位置させて確定することにより、当該表示内容のメンテナンス作業を行うことができる。図８（ｂ）に示す例では、設定値確認・変更、時刻設定、ランプ点灯テストのアイコンが表示されており、設定値確認、変更のアイコンに矢印カーソルが位置して、当該アイコンが強調表示されている。
【００４９】
また、メンテナンス作業時における表示画面部の表示内容は、階層構造となっており、各作業内容に対応するアイコンを選択すると、さらに下層にある作業内容に対応するアイコンが表示されるようになっている。例えば、時刻設定の作業を選択した場合には、時刻表示が行われ、年、日、時、分、秒等を設定することができる。
【００５０】
なお、通常時（遊技時）およびメンテナンス作業時における表示内容は、どのようなものであってもよく、遊技機に合わせて適宜変更することができる。
【００５１】
＜第２の実施形態＞
第２の実施形態に係る液晶表示装置２００は、表示画面部を上下方向に表裏反転させる反転手段を有している。
【００５２】
図２、図３は、第２の実施形態に係る液晶表示装置２００を示す左側面図で、図２は表示画面部を筐体扉２の前面側に向けた状態を示し、図３は表示画面部を筐体扉２の背面側に向けた状態を示している。なお、図２、図３は、液晶表示装置２００を正面から見た場合の右側面を示しており、図示しないが、液晶表示装置２００の左側面においても同様の部材が配設されている。
【００５３】
第２の実施形態に係る液晶表示装置２００は、図５、図６に示すように、筐体扉２のほぼ中央より下側に位置する傾斜部２５の傾斜面に対向させて、筐体扉２の内部に取り付けられている。この液晶表示装置２００は、図２、図３に示すように、左右側面の下側（図３では上側）にそれぞれ回動軸２０２を設けてあり、この回動軸２０２を、筐体扉２の傾斜部２５の背面から突出して設けた左右一対の支持片２０１に対して回動可能に支持することにより、上下方向に回動させることができるようになっている。
【００５４】
また、液晶表示装置２００の左右側面には、それぞれボス部２０５を設けるとともに、このボス部２０５にステー２０３の一端部を回動可能に取り付けてある。ステー２０３は、液晶表示装置２００の回転範囲を規制するための部材で、長さ方向に長孔２０４が設けられている。筐体扉２の傾斜部２５の背面にはステー支持片２０６が突出して設けられており、ステー支持片２０６にはステー２０３の長孔２０４に挿通する支持突起２０７が設けられている。したがって、液晶表示装置２００は、支持突起２０７を挿通した長孔２０４の範囲内でステー２０３が移動することにより、上下方向の回動範囲が規制されることとなる。なお、ステー２０３およびステー支持片２０６は、液晶表示装置２００の左右両側面に設けてもよいが、いずれか一方の側面にのみ設けてもよい。
【００５５】
また、筐体扉２の傾斜部２５の背面には、液晶表示装置２００に接触するようにしてラッチ等の保持部材２０８が設けられており、この保持部材２０８を用いて液晶表示装置２００を保持することにより、表示画面部を筐体扉２の前面側に向けた状態に固定することができる。なお、保持部材２０８はラッチに限られず、液晶表示装置２００を保持することができればどのような手段であってもよく、またどのような位置に設けてもよい。
【００５６】
また、筐体扉２の傾斜部２５の背面には、液晶表示装置２００に臨むようにして押圧スイッチ等からなる反転検知センサ２０９が設けられており、表示画面部を筐体扉２の前面側に向けた状態（図２参照）で液晶表示装置２００を検知するとともに、表示画面部を筐体扉２の背面側に向けた状態（図３参照）で液晶表示装置２００を検知しないことにより、液晶表示装置２００の回動状態を検知することができる。なお、反転検知センサ２０９は、液晶表示装置２００の回動状態を検知することができればどのようなセンサであってもよく、また、どのような位置に取り付けられていてもよい。
【００５７】
第２の実施形態に係る液晶表示装置２００では、表示画面部を上下方向に回転させるため、表示画面部を筐体扉２の背面側に向けた状態（図３参照）において、表示画面部を筐体扉２の前面側に向けた状態（図２参照）と同様の表示を行ったのでは、表示内容が上下反転してしまうことになる。
【００５８】
そこで、反転検知センサ２０９が液晶表示装置２００の反転状態を検知した場合には、サブ制御基板２２により表示内容を上下反転させるような制御を行うことが好ましい。
また、第２の実施形態に係る液晶表示装置２００においても、図８（ａ），（ｂ）に示すような表示が行われる。
【００５９】
＜他の実施形態＞
第１の実施形態に係る液晶表示装置１００は、図４に示すように、筐体扉の上部に取り付けられており、第２の実施形態に係る液晶表示装置２００は、図５に示すように、筐体扉のほぼ中央に取り付けられているが、液晶表示装置１００，２００を取り付ける位置は図４あるいは図５に示す位置に限られず、遊技機の形状に合わせて適宜変更することができる。
【００６０】
また、本発明に係る遊技機は、パチスロ遊技機に限られず、液晶表示装置を備えた遊技機であれば、パチンコ機、スロットマシン、アレンジボール遊技機、その他のゲームマシン等にも適用することができる。
【００６１】
【発明の効果】
以上説明したように、本発明に係る遊技機では、メンテナンスを行うために筐体扉を開いた際に、反転手段により表示装置の表示画面部を表裏反転させることができる。
したがって、液晶表示装置の表示画面部を確認しながら筐体本体の内部に設置された種々のスイッチ等を操作することができるので、メンテナンスの作業効率を高めることができる。
【図面の簡単な説明】
【図１】第１の実施形態に係る液晶表示装置の斜視図
【図２】第２の実施形態に係る液晶表示装置において、表示画面部を筐体扉の前面側に向けた状態を示す右側面図
【図３】第２の実施形態に係る液晶表示装置において、表示画面部を筐体扉の背面側に向けた状態を示す右側面図
【図４】第１の実施形態に係るパチスロ遊技機の筐体扉を開いた状態の斜視図
【図５】第２の実施形態に係るパチスロ遊技機の筐体扉を開いた状態の斜視図
【図６】本発明の実施形態に係るパチスロ遊技機の正面図
【図７】サブ制御基板の構成を示すブロック図
【図８】液晶表示装置の表示画面部に表示される表示内容を示すもので、（ａ）は通常時（遊技時）における表示例、（ｂ）はメンテナンス作業時における表示例の説明図
【符号の説明】
１  筐体本体
２  筐体扉
３  上部ランプ
４  正面パネル
５  腰部パネル
６  メダル払出口
７  メダル貯留皿
８  灰皿
９ａ，９ｂ  スピーカ
１０  表示ランプ
１１ａ〜１１ｃ  表示窓
１２ａ〜１２ｃ  リール
１３  メダル投入口
１４〜１８  ベットボタン
１７  有効ラインランプ
１９  スタートレバー
２０ａ〜２０ｃ  ストップボタン
２１  主制御基板
２２  サブ制御基板
２３  電源装置
２４  ホッパ
２５  傾斜面
１００，２００  液晶表示装置
１０１ａ，１０１ｂ  第１ボス部
１０２ａ，１０２ｂ  第２ボス部
１０３  配線ケーブル
１０４  上側ホルダ
１０５  取付部
１０６  支持部
１０７  支持孔
１０９ａ，１０９ｂ  係止部
１１０ａ，１１０ｂ  係支凹部
１１１ａ，１１１ｂ  ネジ
１１２  下側ホルダ
２０１  支持片
２０２  回動軸
２０３  ステー
２０４  長孔
２０５  ボス部
２０６  ステー支持片
２０７  支持突起
２０８  保持部材
２０９  反転検知センサ
４０１  ＩＮポート
４０２  サブＣＰＵ
４０３  プログラムＲＯＭ
４０４  ワークＲＡＭ
４０５  ＯＵＴポート
４０６  画像制御ＣＰＵ
４０７  画像制御プログラムＲＯＭ
４０８  画像制御ワークＲＡＭ
４０９  画像制御ＩＣ
４１０  画像ＲＯＭ
４１１  ビデオＲＡＭ
４１２  ＩＮポート
４１３  音源ＩＣ
４１４  パワーアンプ
【図１】
2004357848.tif 000003
【図２】
2004357848.tif 000004
【図３】
2004357848.tif 000005
【図４】
2004357848.tif 000006
【図５】
2004357848.tif 000007
【図６】
2004357848.tif 000008
【図７】
2004357848.tif 000009
【図８】
2004357848.tif 000010